(57)【要約】【課題】アウトドア用品等の屋外の荷物を容易に出し入れすることができる収納所を設けた建物を提供する。【解決手段】１階の床Ａと２階の床Ｂとの閻にスキップ床Ｃを有する建物1である。1階の床Ａとスキップ床Ｃとの間に壁で囲まれる収納所１２が設けられ、収納所１２には1階の他の部屋へ通じる出入口１３が設けているため、１階の他の部屋から収納所１２へ荷物を容易に出し入れすることができる。また、スキップ床Ｃの上の寝室の天井高さを高くすることができる。また、収納所１２がガレージ３と隣接しており、収納所１２には前記ガレージ３へ通じる出入口１３ｂが設けられているため、収納所１２とガレージ３との間で荷物を出し入れすることができる。【選択図】図２
0003112927.tif 000002
【実用新案登録請求の範囲】
【請求項１】
１階の床と２階の床との間にスキップ床を有する建物であって、前記１階の床と前記スキップ床との間に壁で囲まれる収納所が設けられ、前記収納所には１階の他の部屋へ通じる出入口が設けられていることを特徴とする建物。
【請求項２】
前記収納所には屋外へ通じる出入口が設けられていることを特徴とする請求項１に記載の建物。
【請求項３】
前記収納所はガレージと隣接しており、前記収納所には前記ガレージへ通じる出入口が設けられていることを特徴とする請求項１または２に記載の建物、
【請求項４】
前記収納所の床は、土間床の上部に着脱自在に設けられていることを特徴とする請求項１〜３のいずれか一項に記載の建物。
【請求項５】
前記収納所の上部のスキップ床には開口が設けられていることを特徴とする請求項１〜４のいずれか一項に記載の建物。
【考案の詳細な説明】
【技術分野】
【０００１】
本考案は１階の床と２階の床との間にスキップ床を設けた建物に関する。
【背景技術】
【０００２】
上階の床と下階の床との間にスキップ床を設けた建物において、スキップ床と上階の床との間に壁で囲まれる収納所を設け、収納所に隣接して、スキップ床と同じ高さに階段の踊り場を設けるとともに、踊り場に収納所への閉入口を設けたものが知られている(特許文献１参照)。
【０００３】
また、収納所に隣接して、収納所と同じ床レベルの寝室を設けるとともに、当該居室に収納所への出入口を設けた建物もある(特許文献２参照)。従来の収納所は上階の床と下階の床との間のスキップ床の床レベルに収納所を設けるため、上階の荷物と下階の荷物のいずれを収納所へ出し入れする場合にも便利であった。
【特許文献１】特許第２５４９２４２号明細書
【特許文献２】特開２００４-１１３３６号公報
【考案の開示】
【考案が解決しようとする課題】
【０００４】
しかし、アウトドア用品等の屋外の荷物を従来の収納所に出し入れする場合には、荷物を建物の内部に入れ、スキップ床の床レベルまで荷物を持ち上げなければならなかった。
【０００５】
本考案の課題は、アウトドア用品等の屋外の荷物を容易に出し入れすることができる収納所を設けた建物を提供することである。
【課題を解決するための手段】
【０００６】
以上の課題を解決するため、請求項１に記載の考案は、例えば図２に示すように、１階の床Ａと２階の床Ｂとの間にスキップ床Ｃを有する建物１であって、前記１階の床Ａと前記スキップ床Ｃとの間に壁で囲まれる収納所１２が設けられ、前記蚊納所１２には１階の他の部屋へ通じる出入口１３が設けられていることを特徴とする。
【０００７】
請求項１に記載の考案によれば、１階の床Ａとスキップ床Ｃとの間に壁で囲まれる収納所１２が設けられ、収納所１２には１階の他の部屋へ通じる出入口１３ａが設けられているため、１階の他の部屋から収納所１２へ荷物を容易に出し入れすることができる。また、スキップ床Ｃの上の寝室の天井高さを高くすることができる。
【０００８】
請求項２に記載の考案は、請求項１に記載の建物１であって、例えば図８に示すように、前記収納所１９には屋外へ通じる出入口１４が設けられていることを特徴とする。
【０００９】
請求項２に記載の考案によれば、収納所１９に屋外へ通じる出入口１４が設けられているため、屋外と収納所１９との間で直接、荷物を出し入れすることができる。
【００１０】
請求項３に記載の考案は、請求項１または２に記載の建物１であって、例えば図２に示すように、前記収納所１２はガレージ３と隣接しており、前記収納所１２には前記ガレージ３へ通じる出入口１３ｂが設けられていることを特徴とする。
【００１１】
請求項３に記載の考案によれば、収納所１２がガレージ３と隣接しており、また収納所１２には前記ガレージ３へ通じる出入口１３ｂが設けられているため、収納所１２とガレ一ジ３との間で荷物を出し入れすることができる。
【００１２】
講求項４に記載の考案は、請求項１〜３のいずれか一項に記載の建物１であつて、前記収納所１２の床(床パネル３２)は、土間床３ａの上部に着脱自在に設けられていることを特徴とする。
【００１３】
請求項４に記載の考案によれば、収納所１２の床(床パネル３２)を土間床３ａの上部に着脱自在に設けることで、用途に応じて収納所１２の高さを変更することができ、例えば収納所１２の床(床パネル３２)を取り外して土間床３ａとすることで、収納所１２の天井高さを高くして、その容積を拡大することができる。また、収納所１２がガレージ３と隣接している場合には、ガレージ３と収納所１２との間の荷物の出し入れが容易となる。
【００１４】
請求項５に記載の考案は、請求項１〜４のいずれか一項に記載の建物１であって、例えば図４に示すように、前記収納所１２の上部のスキップ床Ｃには開口１６が設けられていることを特徴とする。
【００１５】
請求項５に記載の考案によれば、収納所１２の上部のスキップ床Ｃに開口１６を設けることで、スキップ床Ｃの上部の居室から収納所１２へ開口１６を通して荷物を出し入れすることができる。また、開口１６を通して収納所１２内の荷物をスキップ床Ｃの上部の居室から観察することができる。
【考案の効果】
【００１６】
本考案によれば、１階の他の部屋から収納所へ荷物を容易に出し入れすることができるので、アウトドア用品等の荷物をスキップ床の高さまで持ち上げることなく、収納所へ容易に出し入れすることができる。このため、外部物置が不要となり、家全体の美感を向上させることができる。
【００１７】
また、収納所に屋外へ通じる出入口を設けることで、屋外と収納所との間で直接、アウトドア用品等の荷物を出し入れすることができる。
【００１８】
さらに、収納所がガレージと隣接している場合、収納所にガレージヘ通じる出入口を設けた場合には、収納所とガレージとの間で荷物を出し入れすることができるため、荷物を車等に直接出し入れすることができる。
【００１９】
また、収納所の床が、土間床の上部に着脱自在に設けられているため、用途に応じて収納所の高さを変更することができる。
【００２０】
また、収納所の上部のスキップ床に開口を設けることで、スキップ床の上部の寝室から収納所へ開口を通して荷物を出し入れすることができる。また、開口を通して収納所内の荷物をスキップ床の上部の居室から観察することができるため、収納所内の荷物を展示することができる。
【考案を実施するための最良の形態】
【００２１】
以下、本考案の実施の形態について詳細に説明する。なお本考案の建物は、壁や床、屋根といった建物の構成要素を予め工場にてパネル化しておき、施工現場でこれらのパネルを組立てて構築するパネル工法で構築されるが、従来の軸組み工法や壁式工法の木造、鉄骨造、鉄筋コンクリート造などの建物にも適用することができる。
【００２２】
図１は１階の床Ａと２階の床Ｂとの間にスキップ床Ｃ設けた建物１を道路側から見た外観図であり、図２は建物１の床構成を示す概略立面図である。また、図３は建物１の１階の間取り図であり、図４はスキップ床Ｃ及び２階の間取り図である。
【００２３】
建物１は南側で道路に面しており、玄関２と、ガレージ３の出入口１４とを道路側に向けている。道路側から見て玄関２の手前が玄関前広場４、奥が玄関ホール５である。玄関前広場４とガレージ３は隣接しており、連続した空間となっている。また、玄関前広場４と玄関ホール５の土間床部分は、タイル張りの連続した平坦な床面が、ガレージ３の土間床よりも一段高く敷設されている。
【００２４】
玄関ホール５に入つて左手には、上がり框６を挟んで、タイル張りの土間床よりも一段高い１階の床Ａが、１階の他の部屋へ連続して敷設されている。また玄関ホール５の北西部には、トイレ７及び洗面所８が設けられている。また、玄関ホール５には、後述するスキップ床Ｃへ上がる階段１７Ａが設けられている。
【００２５】
玄関ホール５の西側は、納戸９及び寝室１０である。納戸９へは寝室１０から出入りすることができる。また、玄関ホール５及び寝室１０の北側には、バルコニー１１が設けられている。
【００２６】
寝室１０の南側は収納所１２となっており、居室１０との間には出入口１３が設けられている。収納所１２の天井高さは９０ｃｍ以上１４０ｃｍ以下であり、１階の他の部屋よりも低くなっている。また、収納所１２はガレージ３と隣接しており、ガレージ３との間にも出入口１３ｂが設けられている。
【００２７】
このように、収納所１２にガレージ３側と、１階の寝室側との２箇所に出入口１３ａ、１３ｂが設けられているため、１階の寝室から収納所１２へ荷物を出し入れすることができるとともに、ガレージ３から収納所１２へも荷物を出し入れすることができる。
【００２８】
このため、アウトドア用品や大きな荷物等を車でガレージ３に搬入し、車から収納所１２へ直接荷物を搬入したり、収納所１２から車へ直接荷物を搬入し、車で荷物を搬出したりすることができる。また、例えば車椅子で生活する場含にも、収納所１２から車に乗り降りすることで、外に出ることなく容易に車に乗り降りすることができる。
【００２９】
収納所１２とガレージ３の上階の床は、同じ床高さのスキップ床Ｃである。スキップ床Ｃ上の部屋は、ダイニングキッチン１５である。ダイニングキッチン１５の床面には、収納所１２やガレージ３へ通じる開口１６が設けられている。
【００３０】
開口１６は通常は蓋されているが、蓋を開けて収納所１２やガレージ３へ荷物を出し入れすることができる。あるいは、サンルーフを有する車をガレージ３内に入れ、サンルーフが開口１６の真下に位置するように車を移動して止め、開口１６とサンルーフとを通してダイニングキッテン１５と車との間で荷物を出し入れすることができる。
【００３１】
また、蓋の代わりに開口１６を透明なガラス、または隙間のある格子で塞いでもよい。
ガラスや格子で開口を塞いだ場合には、収納所１２やガレージ３内の荷物や車をダイニングキッチン１５から見ることができる。
【００３２】
ダイニングキッチン１５の北東には、玄関ホール５へ下がる階段１７ａと、２階へ上がる階段１７ｂとが設けられている。階段１７ｂを上がると、階段前広間２０がある。階段前広間２０の右手には、トイレ兼洗面所２１がある、トイレ兼洗面所２１の北には浴室２２がある。またトイレ兼洗面所２１の南側には、インナーバルコニー２３がある。
【００３３】
階段１７ｂを上がって突き当たりには、西側へ伸びる廊下２４がある。廊下２４の南側には居室２５ａ,２５ｂがある。居室２５ａ,２５ｂは着脱自在な間仕切壁２６により２室に分割されているが、間仕切壁２６を取り除くことで、１室にすることも可能である。
階段前広間２０、トイレ兼洗面所２１、浴室２２、インナーバルコ二一２３、廊下２４、居室２５ａ、２５ｂの床(２階の床Ｂ)は、ほぼ同じ高さに敷設されている。
【００３４】
ここで、収納所１２の床について説明する、収納所１２は、図１２に示すように、土間床３ａの上に束柱３０が設けられ、束柱３０間に根太材３１が渡され、根太材３１の上に床パネル３２が渡されて置き床が形成されている。根太材３１としては、角材や鋼材等を用いることができる。
土間床３ａは、ガレージ３の土間床と同じ高さに形成されており、置き床は、他の１階の部屋の床と同じ高さに形成されている。
【００３５】
床パネル３２は、枠材の上下面に合板などの面材を取り付け、必要に応じて桟材等で補強したものである。床パネル３２は容易に着脱することができるため、図６に示すように、収納所１２の床パネル３２をはずし、ガレージ３と連続した土間床とすることができる。取り外した床パネル３２は、１階の他の部屋の床下等に収納することができる。
【００３６】
図７は、束柱３０の他の形態を示す立面図である。束柱３０は、根太材３１を支持する根太支持具３０ａと、根太支持具３０ａを固定する固定具３０ｂとからなる。根太支持具３０ａの固定具３０ｂへの固定位置により、束柱３０の高さを変えることができる。
【００３７】
固定具３０ｂは、ボルト等で土間床３ａに取り付けられる。そのため、床パネル３２を取り外した時に、束柱３０も取り外すことができる。取り外した束柱３０は、床パネル３２と同様に、１階の他の部屋の床下等に収納することができる。
【００３８】
床パネル３２や束柱３０を取り外した収納所１２は、束柱３０の高さと床パネル３２の厚さ分だけ天井高さが高くなるため、より大きい荷物を収納することができる。また、観賞植物や家庭菜園などに利用してもよいし、ペットの飼育場としてもよい。
【００３９】
図８は、ガレージ３に上記の束柱３０を設け、束柱３０に根太材３１を載せ、根太材３１に床パネル３２を載せて置き床を形成し、収納所１９とした建物１を示す概略立面図である。また、図９に示すように、ガレージ３と玄関前広場４との間には間仕切壁１８が設けられている。このようにガレージ３に収納所１２と同様の置き床を設けることで、ガレージ３を収納所１９として利用することもできる。
【００４０】
ガレージ３に置き床を設けた収納所１９には、ガレージの出入口として用いられていた、屋外へ通じる出入口１４がある。このため、荷物を屋外から直接、収納所１２へ出し入れすることができる。
【００４１】
また、この収納所１９には隣接する収納所１２へ通じる出入口１３ｂがあり、収納所１２には１階の他の部屋へ通じる出入口１３ａがある、このため、屋外から収納所１９へ搬入した荷物は、収納所１２を通して１階の寝室１０へ鍛出したり、１階の居室１０から収納所１２を通して収納所１９へ搬入した荷物を出入口１４から屋外へ搬出したりすることができる。
【００４２】
なお、以上の実施の形態においては、ガレージ３と収納所１２が仕切られた建物１について説明したが、１つの仕切られた収納所内で、土間床とするスペースと置き床を設けるスペースとに分割してもよい。
【００４３】
また、収納所１２に、屋外と通じる出入口を設けてもよいし、ガレージ１３に１階の他の部屋に通じる出入口を設けてもよい。その他具体的な細部構造についても適宜変更可能であることはもちろんである,
【図面の簡単な説明】
【００４４】
【図１】本考案の建物を示す外観図である。
【図２】本考案の建物の床構成を示す概略立面図であり、(ａ)は正面図、(ｂ)は側面図である。
【図３】本考案の建物の１階の間取り図である。
【図４】本考案の建物のスキップ床及び２階の間取り図である。
【図５】本考案の建物に設けられた収納所の床構造を示す断面図である。
【図６】本考案の建物の床構成を示す概略立面図であり、(ａ)は正面図、(ｂ)は側面図である。
【図７】本考案の建物に設けられた収納所の床構造を示す断面図である。
【図８】本考案の建物の床構成を示す概略立面図であり、(ａ)は正面図、(ｂ)は側面図である。
【図９】本考案の建物の１階の間取り図である。
【符号の説明】
【００４５】
１    建物
３    ガレージ
３ａ    土間床
１２、１９    収納所
１３ａ、１３ｂ、１４    出入口
１６    開口
３２    床パネル
Ａ１    階の床
Ｂ２    階の床
Ｃ      スキップ床
【図１】
0003112927.tif 000003
【図２】
0003112927.tif 000004
【図３】
0003112927.tif 000005
【図４】
0003112927.tif 000006
【図５】
0003112927.tif 000007
【図６】
0003112927.tif 000008
【図７】
0003112927.tif 000009
【図８】
0003112927.tif 000010
【図９】
0003112927.tif 000011